(57)【特許請求の範囲】
【請求項１】
積み上げた型枠の間にコンクリートを打設し、コンクリート硬化後に型枠を外してなる廃棄物処分場擁壁の構築方法において、
型枠内側面に予め遮水シートを打ち付け、
これを積み上げることによって、積み上げた型枠内側面のうち擁壁内側面になる面に臨む側の型枠内側面を、硬化したコンクリートから抜け落ちないような形状とした突起がその表面に複数設けられた遮水シートで予め被覆した状態としてから、型枠の間にコンクリートを打設することを特徴とする廃棄物処分場擁壁の構築方法。
【請求項２】
請求項１に記載の廃棄物処分場擁壁の構築方法により得られた廃棄物処分場擁壁。
【発明の詳細な説明】
【０００１】
【発明の属する技術分野】
本発明は、廃棄物処分場擁壁の構築方法に関し、特に内側面がシートで覆われた擁壁を構築する方法に関する。
【０００２】
【従来の技術】
近年、廃棄物処分場の新設が積極的に進められている。この場合、平坦な敷地を十分に確保するのが困難であるという事情に鑑み、我が国では、その全周或いは周の一部について擁壁を備え、山間部の傾斜地形を生かせるようにされた廃棄物処分場を造成する場合が多くなっている。また、廃棄物処分場では、廃棄物から流出する汚水が土壌に染み込むのを防止する必要があるため、擁壁の内側面及び廃棄物処分場底面をビニルシートその他の遮水用シートで被覆することにより、汚水の漏れを防止している。従って、廃棄物処分場を新設するにあたっては、内側面を遮水シートで被覆した擁壁を構築することが不可欠な状況となっている。
【０００３】
従来の擁壁構築は、以下のように行われている。即ち、積み上げた型枠の間にコンクリートを打設し、これを硬化させた後で型枠を取り外すことによりまず擁壁を得て、そしてその擁壁上に遮水シートの巻束を引き上げ、それを擁壁内側面に沿って巻きほどくことにより、内側面を遮水シートで被覆した擁壁を構築している。
【０００４】
しかしながら、上記の方法によると、型枠積み上げ時と型枠取り外し時に加えて、遮水シート巻束の引き上げ時にも重機を使用する必要があるため、作業の手間及びコストが大きくなりがちである。特に、近年構築される廃棄物処分場擁壁は、その高さが２０ｍを超えるものもあるので、その労力は過大になりがちである。また、上記方法により得られる擁壁では、遮水シートと擁壁とが固定されていないため、遮水シートがずれてしまったり、気温変化に伴う膨張、収縮の繰り返しにより遮水シートにしわが入ってしまう場合がある。このような遮水シートのしわ及びずれは、遮水シートの耐用年数に影響を与える場合がある。
【０００５】
【発明が解決しようとする課題】
そこで、本発明は、擁壁内側面と遮水シートとを固定した状態で擁壁内側面を遮水シートで被覆できると共に簡易に実施できるような、廃棄物処分擁壁の構築方法を提供することを目的とする。
【０００６】
【課題を解決するための手段】
上記課題を解決するため、本発明による廃棄物処分場擁壁の構築方法は、以下のようなものとされている。即ち、積み上げた型枠の間にコンクリートを打設し、コンクリート硬化後に型枠を外してなる廃棄物処分場擁壁の構築方法をその基本とすると共に、積み上げた型枠内側面のうち擁壁内側面になる面に臨む側の型枠内側面を、硬化したコンクリートから抜け落ちないような形状とした突起がその表面に複数設けられた遮水シートで予め被覆してから、型枠の間にコンクリートを打設することにより廃棄物処分場擁壁を構築するものとしている。
【０００７】
この方法では、打設したコンクリートと接する型枠内側面のうち擁壁内側面となる面に臨む側の型枠内側面を遮水シートで予め被覆してから、型枠の間にコンクリートを打設するものとしているので、遮水シートの巻束を型枠上に引き上げる作業と型枠を積み上げる作業とを同時に行うことにより、重機の使用回数を減らすことができる。また、この方法に用いる遮水シートは、硬化したコンクリートから抜け落ちないような形状とした突起がその表面に複数設けられたものとされているので、この方法により得られる擁壁では、その内側面が遮水シートで被覆されるのみならず、擁壁内側面と遮水シートとが一体化して形成されることになる。従って、この方法により得られた廃棄物処分場擁壁によれば、擁壁内側面と遮水シートとが固定されているので、遮水シートがずれたり、しわが入ったりすることがない。尚、上記型枠は、現場作業性を考慮して複数に分割されているのが一般的であるが、特に擁壁外側面となる面に臨む側の型枠については、一体ものとしても構わない。また、上記突起の形状は、硬化したコンクリートから抜け落ちないような形状となっている限りどのようなものとしてもよいが、例えば鈎型に形成したり、きのこ型に形成したりすることができる。
【０００８】
擁壁内側面になる面に臨む側の型枠内側面を予めシートで被覆する方法は、上記のように型枠の上に遮水シートの巻束を引き上げることによっても良いが、その他任意の方法によることができる。例えば、予め内側面に遮水シートを打ち付けた型枠を積み上げることによって擁壁内側面になる面に臨む側の型枠内側面を予めシートで被覆することもできる。この方法によれば、擁壁構築現場における作業を更に軽減できるので好ましい。
【０００９】
【発明の実施の形態】
以下、添付図面を参照して、参考実施形態及び本発明の実施形態の説明を行う。尚、参考実施形態と実施形態の説明において重複する部分には共通の符号を付し、重複説明は省略する。
【００１０】
参考実施形態：図１〜図２により、参考実施形態を段階を追って説明する。この方法を実施するにあたっては、まず型枠１をクレーン等の重機を用いて積み上げる。具体的には、所望する擁壁の厚さに対応させて所定の間隔を開けた状態で、内型枠１Ａと外型枠１Ｂとを積み上げる。尚、内型枠１Ａの内側面１ａは、擁壁内側面となる面に臨む面となる。この状態を図１（イ）で示す。
【００１１】
続いて、そのときに使用した重機をそのまま用いて、遮水シート２の巻束を内型枠１Ａの上面に引き上げる。巻束とされた上記遮水シート２の長さは、積み上げた内型枠１Ａの高さ以上とされている。遮水シート２の幅が、擁壁内側面全体を被覆するに十分でない場合は、複数の巻束を内型枠１Ａ上面に引き上げる。この遮水シート２の表面には、図２に示すように、円板部を棒部で支持する形状とされた突起３が多数設けられている。また、この遮水シート２の厚さは、１〜５ｍｍとするのがよいが、この実施形態では３ｍｍとしてある。尚、その素材は可塑性樹脂である。複数の遮水シート２巻束を内型枠１Ａ上面に載置した状態を図１（ロ）で示す。
【００１２】
次に、引き上げた遮水シート２巻束を巻きほどき、内型枠１Ａの内側面１ａを遮水シート２で被覆する。このとき、上記突起３を設けた面が、型枠の内型を向くようにして遮水シート２を巻きほどく。この状態を図１（ハ）で示す。
【００１３】
この状態で、内型枠１Ａと外型枠１Ｂとの間にコンクリート４を打設し、一定の養生期間放置してコンクリート４を硬化させる。この状態を図１（ニ）に示す。
【００１４】
コンクリート４が硬化したら、型枠１を取り外す。そして隣り合う遮水シート２の隣接部について熱融着を行い擁壁を完成させる。尚、廃棄物処分場として完全なものとするには、廃棄物処分場底面に底面用遮水シート５を更に敷設し、擁壁４内側面と一体となった遮水シート２の下端と底面用遮水シート５の周縁部とを樹脂により熱融着することが必要である。完成した廃棄物処分場の概観を図１（ホ）で示す。
【００１５】
実施形態： 図３により、本発明の実施形態について説明する。この方法では、予め内型枠１Ａの内側面に遮水シート２を釘で打ち付けてから、内型枠１Ａを積み上げる。この状態を図３（イ）で示す。
【００１６】
次に、内型枠１Ａと外型枠１Ｂとの間にコンクリート４を打設し、一定の養生期間放置してコンクリート４を硬化させる。この状態を図３（ロ）で示す。
【００１７】
コンクリート４が硬化したら、型枠１を取り外す。このとき釘６により遮水シート２が傷つかないように注意する。
【００１８】
型枠１を取り外すと、図３（ハ）で示すように、擁壁４内側面に固定された遮水シート２の表面から釘６が突き出た状態となる。従って、この釘を切断すると共に、釘が貫通することにより生じた遮水シート２表面の小孔を樹脂で埋める。また、隣り合う遮水シート２の隣接部については熱融着を行う。これにより、擁壁が完成する。尚、廃棄物処分場として完成させるには、参考実施形態の場合と同様に、底面用遮水シート５の周縁部と遮水シート２の下端とを樹脂により熱融着する。
【００１９】
【発明の効果】
本発明による廃棄物処分場擁壁の構築方法では、擁壁内側面となる面に臨む側の型枠内側面を予め遮水シートで被覆してから型枠の間にコンクリートを打設することとしたので、遮水シートによる擁壁被覆作業に要する労力を大幅に削減できる。また、遮水シート表面に硬化したコンクリートから抜け落ちないような形状とした突起を設けたので、遮水シートを擁壁と一体化させることができるようになる。従って、遮水シートのずれ及びしわの問題を解消し、遮水シートのひいては廃棄物処分場の寿命を延ばすことができる。更に、予めその内側面を遮水シートで被覆した型枠を用いることにより、現場での作業をより軽減できるようになる。
【図面の簡単な説明】
【図１】本発明の参考実施形態による廃棄物処分場擁壁の構築方法を示す図。
【図２】本発明に用いる遮水シートの断面図。
【図３】本発明の実施形態による廃棄物処分場擁壁の構築方法を示す図。
【符号の説明】
１  擁壁
２  遮水シート
３  突起
４  コンクリート
５  底面用遮水シート
６  釘
【図１】
0003938421.tif 000002
【図２】
0003938421.tif 000003
【図３】
0003938421.tif 000004